(57)【要約】      （修正有）【課題】小型で、像面湾曲も小さい投写レンズを提供する。【解決手段】拡大側から順に、正の第１レンズ群Ｇ１と、正の第２レンズ群Ｇ２とからなり、第１レンズ群Ｇ１は最も縮小側の面が凸形状であり、第２レンズ群Ｇ２は縮小側に曲率半径の絶対値が小さい面を向けた正の単レンズ２枚で構成され、下記条件式（１）〜（４）を満足する。|R1b/R1f|≦0.5（１）、|R2b/R2f|≦0.6（２）、|Δ/f2|≦0.3（３）、d2/f2≦0.4（４）但し、R1bは前記第２レンズ群の第１レンズの縮小側面の、R1fは前記第２レンズ群の第１レンズの拡大側面の、R2bは前記第２レンズ群の第２レンズの縮小側面の、R2fは前記第２レンズ群の第２レンズの拡大側面のそれぞれの曲率半径、Δ：前記第１レンズ群の最終面と前記第２レンズ群の拡大側焦点位置との距離、f2：前記第２レンズ群の焦点距離、d2：前記第２レンズ群の全長。【選択図】図１
2015184304.tif 000002
【特許請求の範囲】
【請求項１】
拡大側から順に、正の屈折力を有する第１レンズ群と、正の屈折力を有する第２レンズ群とから実質的になり、
前記第１レンズ群は最も縮小側の面が凸形状であり、前記第２レンズ群は縮小側に曲率半径の絶対値が小さい面を向けた正の屈折力を有する単レンズ２枚で構成され、
下記条件式（１）〜（４）を満足する
ことを特徴とする投写レンズ。
|R1b/R1f| ≦ 0.5  …（１）
|R2b/R2f| ≦ 0.6  …（２）
|Δ/f2| ≦ 0.3  …（３）
d2/f2 ≦ 0.4  …（４）
ここで、
R1b：前記第２レンズ群の拡大側正レンズの縮小側面の曲率半径
R1f：前記第２レンズ群の拡大側正レンズの拡大側面の曲率半径
R2b：前記第２レンズ群の縮小側正レンズの縮小側面の曲率半径
R2f：前記第２レンズ群の縮小側正レンズの拡大側面の曲率半径
Δ：前記第１レンズ群の最も縮小側のレンズ面と前記第２レンズ群の拡大側焦点位置との距離
f2：前記第２レンズ群全体の焦点距離
d2：前記第２レンズ群の全長
【請求項２】
下記条件式（５）,（６）を満足する
請求項１記載の投写レンズ。
0.0 ≦ R1b/R1f ≦ 0.5  …（５）
-0.6 ≦ R2b/R2f ≦ 0.4  …（６）
【請求項３】
下記条件式（７）を満足する
請求項１または２記載の投写レンズ。
R1f/R2f ≦ 0.6  …（７）
【請求項４】
下記条件式（８）を満足する
請求項１から３のいずれか１項記載の投写レンズ。
0.9 ≦ f2/f ≦ 3.5  …（８） 
ここで、
f：全系の焦点距離 
【請求項５】
下記条件式（９）を満足する
請求項１から４のいずれか１項記載の投写レンズ。
0.2 ≦ dd/l ≦ 0.5  …（９）
ここで、
dd：前記第１レンズ群と前記第２レンズ群の間隔 
l：全系のレンズ全長
【請求項６】
下記条件式（１０）を満足する
請求項１から５のいずれか１項記載の投写レンズ。
Bf/f ≦ 0.35  …（１０）
ここで、
Bf：全系のバックフォーカス 
f：全系の焦点距離 
【請求項７】
下記条件式（１１）を満足する
請求項１から６のいずれか１項記載の投写レンズ。
1.7 ≦ N2  …（１１）
ここで、
N2：前記第２レンズ群を構成する各レンズの屈折率 
【請求項８】
前記第１レンズ群は、拡大側から順に、正の屈折力を有する第１レンズと、負の屈折力を有する第２レンズと、負の屈折力を有する第３レンズと、正の屈折力を有する第４レンズと、正の屈折力を有する第５レンズと、正の屈折力を有する第６レンズとから実質的になる
請求項１から７のいずれか１項記載の投写レンズ。
【請求項９】
前記第３レンズと前記第４レンズが接合された
請求項８記載の投写レンズ。
【請求項１０】
下記条件式（４−１）を満足する
請求項１から９のいずれか１項記載の投写レンズ。
d2/f2 ≦ 0.3  …（４−１）
【請求項１１】
下記条件式（５−１）を満足する
請求項２項記載の投写レンズ。
0.1 ≦ R1b/R1f ≦ 0.5  …（５−１）
【請求項１２】
下記条件式（６−１）を満足する
請求項２または１１記載の投写レンズ。
-0.5 ≦ R2b/R2f ≦ 0.3  …（６−１）
【請求項１３】
下記条件式（７−１）を満足する
請求項１から１２のいずれか１項記載の投写レンズ。
-3.0 ≦ R1f/R2f ≦ 0.5  …（７−１）
【請求項１４】
下記条件式（８−１）を満足する
請求項１から１３のいずれか１項記載の投写レンズ。
1.2 ≦ f2/f ≦ 3.0  …（８−１）
ここで、
f：全系の焦点距離 
【請求項１５】
光源と、該光源からの光が入射するライトバルブと、該ライトバルブにより光変調された光による光学像をスクリーン上に投写する投写レンズとしての請求項１から１４のいずれか１項記載の投写レンズとを備え、
前記ライトバルブに入射する光も前記第２レンズ群を透過するように構成されている
ことを特徴とする投写型表示装置。
【発明の詳細な説明】
【技術分野】
【０００１】
本発明は、反射型ライトバルブ、特に微小ミラーが配列されその微小ミラーを偏向させることで変調するＤＭＤを用いた投射型表示装置およびこの投写型表示装置に用いられる投写レンズに関するものである。
【背景技術】
【０００２】
近年、プロジェクタ市場はパソコンの普及とともに大きく伸びてきている。このプロジェクタに用いられるライトバルブ（光変調素子）としては、透過型や反射型の液晶表示素子や微小ミラーが規則的に配列されたＤＭＤ（Digital Micromirror Device）素子等が知られているが、特に微少ミラーを用いたＤＭＤ素子は応答速度が高く、ＲＧＢそれぞれの照明光を時分割で順次単板のライトバルブに照射する構成が可能なため、小型化に向いている。
【０００３】
プロジェクタにおいて、ＤＭＤ素子をライトバルブとして用いた光学系では、大きく３つのタイプが知られている。１つ目は、全反射プリズムを用いて照明光束と投写光束とを分離するタイプであるが、全反射プリズムを用いるため、装置の大型化やコストアップにつながるという問題がある。２つ目は、投写レンズ縮小側を入射瞳位置とし、投写レンズをライトバルブに対し大きくシフトさせることにより照明光束と投写光束とを分離するタイプであるが、照明光束と投写光束とを完全に分離できないため、照度ムラが起こり、さらに拡大側への瞳位置が投写画像の中心に対し対称にならないという問題がある。
【０００４】
従って、プロジェクタの小型化を図る場合には、３つ目の、ライトバルブ近傍にフィールドレンズを配置して照明光と投写光とを分離するタイプが好ましい。このような構成を持つ投写レンズとしては、特許文献１〜７に記載のものが知られている。
【先行技術文献】
【特許文献】
【０００５】
【特許文献１】特許第４６８９２１２号明細書
【特許文献２】米国特許第８２５４０３３号明細書
【特許文献３】米国特許第７９１１７１６号明細書
【特許文献４】特開２００３−２０２４９２号公報
【特許文献５】特開２０１１−０７５６３３号公報
【特許文献６】特許第４５５２４４６号明細書
【特許文献７】米国特許第８５８７８７２号明細書
【発明の開示】
【発明が解決しようとする課題】
【０００６】
ところで、フィールドレンズにより照明光束と投写光束とを分離するタイプでは、フィールドレンズによる迷光が発生するという問題や、フィールドレンズの焦点距離を短くして小型化を行った場合に像面湾曲が発生するといった問題がある。
【０００７】
特許文献１〜３に記載されている投写レンズでは、フィールドレンズによる迷光に対する考慮がなされていないため、強度の強い迷光が発生してしまう。また、特許文献４，５に記載されている投写レンズでは、迷光については考慮されているものの、逆に小型化が考慮されていない。また、特許文献６，７に記載されている投写レンズでは、迷光に対する対策や、照明光束と投写光束との分離も考慮した小型化の対策が提案されていない。
【０００８】
本発明は上記事情に鑑みなされたものであり、小型でありながら、迷光が少なく像面湾曲も小さい投写レンズおよび該投写レンズを備えた投写型表示装置を提供することを目的とするものである。
【課題を解決するための手段】
【０００９】
本発明の投写レンズは、拡大側から順に、正の屈折力を有する第１レンズ群と、正の屈折力を有する第２レンズ群とから実質的になり、第１レンズ群は最も縮小側の面が凸形状であり、第２レンズ群は縮小側に曲率半径の絶対値が小さい面を向けた正の屈折力を有する単レンズ２枚で構成され、下記条件式（１）〜（４）を満足するものである。
【００１０】
|R1b/R1f| ≦ 0.5  …（１）
|R2b/R2f| ≦ 0.6  …（２）
|Δ/f2| ≦ 0.3  …（３）
d2/f2 ≦ 0.4  …（４）
ここで、R1b：第２レンズ群の拡大側正レンズの縮小側面の曲率半径、R1f：第２レンズ群の拡大側正レンズの拡大側面の曲率半径、R2b：第２レンズ群の縮小側正レンズの縮小側面の曲率半径、R2f：第２レンズ群の縮小側正レンズの拡大側面の曲率半径、Δ：第１レンズ群の最も縮小側のレンズ面と第２レンズ群の拡大側焦点位置との距離、f2：第２レンズ群全体の焦点距離、d2：第２レンズ群の全長（第２レンズ群の最も拡大側のレンズ面から最も縮小側のレンズ面までの光軸上の距離）とする。
【００１１】
本発明の投写レンズにおいては、下記条件式（５）,（６）を満足することが好ましい。
【００１２】
0.0 ≦ R1b/R1f ≦ 0.5  …（５）
-0.6 ≦ R2b/R2f ≦ 0.4  …（６）
また、下記条件式（７）を満足することが好ましい。
【００１３】
R1f/R2f ≦ 0.6  …（７）
また、下記条件式（８）を満足することが好ましい。
【００１４】
0.9 ≦ f2/f ≦ 3.5  …（８） 
ここで、f：全系の焦点距離とする。
【００１５】
また、下記条件式（９）を満足することが好ましい。
【００１６】
0.2 ≦ dd/l ≦ 0.5  …（９）
ここで、dd：第１レンズ群と第２レンズ群の間隔、l：全系のレンズ全長（第１レンズ群の最も拡大側のレンズ面から第２レンズ群の最も縮小側のレンズ面までの光軸上の距離）とする。
【００１７】
また、下記条件式（１０）を満足することが好ましい。
【００１８】
Bf/f ≦ 0.35  …（１０）
ここで、Bf：全系のバックフォーカス、f：全系の焦点距離とする。
【００１９】
また、第２レンズ群を構成する各レンズの屈折率が、２枚とも下記条件式（１１）を満足することが好ましい。
【００２０】
1.7 ≦ N2  …（１１）
ここで、N2：第２レンズ群を構成する各レンズの屈折率とする。
【００２１】
また、第１レンズ群は、拡大側から順に、正の屈折力を有する第１レンズと、負の屈折力を有する第２レンズと、負の屈折力を有する第３レンズと、正の屈折力を有する第４レンズと、正の屈折力を有する第５レンズと、正の屈折力を有する第６レンズとから実質的になることが好ましい。
【００２２】
この場合、第３レンズと第４レンズが接合されたものとしてもよい。
【００２３】
また、下記条件式（４−１）を満足することが好ましい。
【００２４】
d2/f2 ≦ 0.3  …（４−１）
また、下記条件式（５−１）を満足することが好ましい。
【００２５】
0.1 ≦ R1b/R1f ≦ 0.5  …（５−１）
また、下記条件式（６−１）を満足することが好ましい。
【００２６】
-0.5 ≦ R2b/R2f ≦ 0.3  …（６−１）
また、下記条件式（７−１）を満足することが好ましい。
【００２７】
-3.0 ≦ R1f/R2f ≦ 0.5  …（７−１）
また、下記条件式（８−１）を満足することが好ましい。
【００２８】
1.2 ≦ f2/f ≦ 3.0  …（８−１）
本発明の投写型表示装置は、光源と、光源からの光が入射するライトバルブと、ライトバルブにより光変調された光による光学像をスクリーン上に投写する投写レンズとしての上記記載の本発明の投写レンズとを備え、ライトバルブに入射する光も第２レンズ群を透過するように構成されたものである。
【００２９】
なお、上記「〜から実質的になる」とは、構成要素として挙げたもの以外に、実質的にパワーを有さないレンズ、絞りやマスクやカバーガラスやフィルタ等のレンズ以外の光学要素、レンズフランジ、レンズバレル、撮像素子、手ぶれ補正機構等の機構部分、等を含んでもよいことを意図するものである。
【００３０】
また、上記のレンズの面形状や屈折力の符号は、非球面が含まれている場合は近軸領域で考えるものとする。
【発明の効果】
【００３１】
本発明の投写レンズは、拡大側から順に、正の屈折力を有する第１レンズ群と、正の屈折力を有する第２レンズ群とから実質的になり、第１レンズ群は最も縮小側の面が凸形状であり、第２レンズ群は縮小側に曲率半径の絶対値が小さい面を向けた正の屈折力を有する単レンズ２枚で構成され、下記条件式（１）〜（４）を満足するものとしたので、小型でありながら、迷光が少なく像面湾曲も小さい投写レンズとすることが可能となる。
【００３２】
|R1b/R1f| ≦ 0.5  …（１）
|R2b/R2f| ≦ 0.6  …（２）
|Δ/f2| ≦ 0.3  …（３）
d2/f2 ≦ 0.4  …（４）
また、本発明の投写型表示装置は、本発明の投写レンズを備えているため、小型でありながら、迷光が少なく像面湾曲も小さい高画質な画像を取得することができる。
【図面の簡単な説明】
【００３３】
【図１】本発明の一実施形態にかかる投写レンズ（実施例１と共通）のレンズ構成を示す断面図
【図２】本発明の実施例２の投写レンズのレンズ構成を示す断面図
【図３】本発明の実施例３の投写レンズのレンズ構成を示す断面図
【図４】本発明の実施例４の投写レンズのレンズ構成を示す断面図
【図５】本発明の実施例１の投写レンズの各収差図
【図６】本発明の実施例２の投写レンズの各収差図
【図７】本発明の実施例３の投写レンズの各収差図
【図８】本発明の実施例４の投写レンズの各収差図
【図９】本発明の実施形態にかかる投写型表示装置の概略構成図
【発明を実施するための形態】
【００３４】
以下、本発明の実施形態について図面を参照して詳細に説明する。図１は本発明の一実施形態にかかる投写レンズのレンズ構成を示す断面図である。図１に示す構成例は、後述の実施例１の投写レンズの構成と共通である。
【００３５】
この投写レンズは、例えば投写型表示装置に搭載されて、ライトバルブに表示された画像情報をスクリーンへ投写する投写レンズとして使用可能である。図１では、図の左側を拡大側、右側を縮小側とし、投写型表示装置に搭載される場合を想定して、各種フィルタやカバーガラス等を想定した平行平面板状の光学部材ＰＰ、ライトバルブの画像表示面Ｓｉｍも合わせて図示している。
【００３６】
投写型表示装置においては、画像表示面Ｓｉｍで画像情報を与えられた光束が、光学部材ＰＰを介して、この投写レンズに入射され、この投写レンズにより紙面左側方向に配置されるスクリーン（不図示）上に投写されるようになる。
【００３７】
図１に示すように、この投写レンズは、拡大側から順に、正の屈折力を有する第１レンズ群Ｇ１と、正の屈折力を有する第２レンズ群Ｇ２とからなり、第１レンズ群Ｇ１は最も縮小側の面が凸形状であり、第２レンズ群Ｇ２は縮小側に曲率半径の絶対値が小さい面を向けた正の屈折力を有する単レンズ２枚（Ｌ２１，Ｌ２２）で構成されている。
【００３８】
このように、第１レンズ群Ｇ１の最も縮小側の面を凸形状とすることにより、レンズ全体をコンパクトにさせつつも第１レンズ群Ｇ１と第２レンズ群Ｇ２との間に空間を確保することができるため、照明光束と投写光束とを分離するための空間を設けることが容易となる。
【００３９】
また、フィールドレンズとして機能する第２レンズ群Ｇ２を２枚のレンズＬ２１，Ｌ２２で構成することで、正レンズ１枚のみで構成した場合に比べて正のパワーを分散することができるため、像面湾曲を小さくすることができる。
【００４０】
なお、本実施形態の投写レンズは、投写型表示装置が備える光源からの光束をフィールドレンズとして機能する第２レンズ群Ｇ２に透過させてからライトバルブに入射させることを想定しているが、この第２レンズ群Ｇ２において特に第１レンズ群Ｇ１と対向する面に強いパワーの凸面があると、光源からの光束がこの凸面で反射して第１レンズ群Ｇ１へ入射し迷光となってしまうおそれがある。従って、これらのレンズＬ２１，Ｌ２２を縮小側に曲率半径の絶対値が小さい面を向けた正の屈折力を有するレンズとし、各レンズの第１レンズ群Ｇ１側面の凸のパワーを小さくすることで、迷光を少なくすることができる。
【００４１】
また、第２レンズ群Ｇ２の最も第１レンズ群Ｇ１側の面が凹形状であることが好ましい。このような構成とすることで迷光をさらに少なくすることができる。
【００４２】
さらに、この投写レンズは、下記条件式（１）〜（４）を満足するように構成されている。条件式（１）を満足することで、迷光が少なく像面湾曲も小さい投写レンズとすることができる。条件式（２）を満足することで、迷光が少なく像面湾曲も小さい投写レンズとすることができる。条件式（３）を満足することで、照明光束と投写光束との分離が容易となるため、明るい投写レンズとすることができる。条件式（４）を満足することで、第２レンズ群Ｇ２が径方向に大型化するのを抑制し小型化を図ることができる。なお、下記条件式（４−１）を満足するものとすれば、より良好な特性とすることができる。
【００４３】
|R1b/R1f| ≦ 0.5  …（１）
|R2b/R2f| ≦ 0.6  …（２）
|Δ/f2| ≦ 0.3  …（３）
d2/f2 ≦ 0.4  …（４）
d2/f2 ≦ 0.3  …（４−１）
ここで、R1b：第２レンズ群の拡大側正レンズの縮小側面の曲率半径、R1f：第２レンズ群の拡大側正レンズの拡大側面の曲率半径、R2b：第２レンズ群の縮小側正レンズの縮小側面の曲率半径、R2f：第２レンズ群の縮小側正レンズの拡大側面の曲率半径、Δ：第１レンズ群の最も縮小側のレンズ面と第２レンズ群の拡大側焦点位置との距離、f2：第２レンズ群全体の焦点距離、d2：第２レンズ群の全長（第２レンズ群の最も拡大側のレンズ面から最も縮小側のレンズ面までの光軸上の距離）とする。
【００４４】
本実施形態の投写レンズにおいては、下記条件式（５）,（６）を満足することが好ましい。条件式（５）を満足することで、迷光が少なく像面湾曲も小さい投写レンズとすることができる。条件式（６）を満足することで、迷光が少なく像面湾曲も小さい投写レンズとすることができる。なお、下記条件式（５−１）, （６−１）のいずれか一方、好ましくは両方を満足するものとすれば、より良好な特性とすることができる。
【００４５】
0.0 ≦ R1b/R1f ≦ 0.5  …（５）
-0.6 ≦ R2b/R2f ≦ 0.4  …（６）
0.1 ≦ R1b/R1f ≦ 0.5  …（５−１）
-0.5 ≦ R2b/R2f ≦ 0.3  …（６−１）
ここで、R1b：第２レンズ群の拡大側正レンズの縮小側面の曲率半径、R1f：第２レンズ群の拡大側正レンズの拡大側面の曲率半径、R2b：第２レンズ群の縮小側正レンズの縮小側面の曲率半径、R2f：第２レンズ群の縮小側正レンズの拡大側面の曲率半径とする。
【００４６】
また、下記条件式（７）を満足することが好ましい。条件式（７）を満足することで、像面湾曲が小さい投写レンズとすることができる。なお、下記条件式（７−１）を満足するものとすれば、より良好な特性とすることができる。
【００４７】
R1f/R2f ≦ 0.6  …（７）
-3.0 ≦ R1f/R2f ≦ 0.5  …（７−１）
ここで、R1f：第２レンズ群の拡大側正レンズの拡大側面の曲率半径、R2f：第２レンズ群の縮小側正レンズの拡大側面の曲率半径とする。
【００４８】
また、下記条件式（８）を満足することが好ましい。条件式（８）の下限を下回らないようにすることで、像面湾曲が小さい投写レンズとすることができる。また条件式（８）の上限を上回らないようにすることで、投写レンズが大型化するのを抑制し小型化を図ることができる。なお、下記条件式（８−１）を満足するものとすれば、より良好な特性とすることができる。
【００４９】
0.9 ≦ f2/f ≦ 3.5  …（８） 
1.2 ≦ f2/f ≦ 3.0  …（８−１）
ここで、f2：第２レンズ群全体の焦点距離、f：全系の焦点距離とする。
【００５０】
また、下記条件式（９）を満足することが好ましい。条件式（９）の下限を下回らないようにすることで、像面湾曲が小さい投写レンズとすることができるとともに、照明光束と投写光束との分離が容易となるため、明るい投写レンズとすることができる。また条件式（９）の上限を上回らないようにすることで、投写レンズが大型化するのを抑制し小型化を図ることができる。
【００５１】
0.2 ≦ dd/l ≦ 0.5  …（９）
ここで、dd：第１レンズ群と第２レンズ群の間隔、l：全系のレンズ全長（第１レンズ群の最も拡大側のレンズ面から第２レンズ群の最も縮小側のレンズ面までの光軸上の距離）とする。
【００５２】
また、下記条件式（１０）を満足することが好ましい。条件式（１０）を満足することで、第２レンズ群Ｇ２が径方向に大型化するのを抑制し小型化を図ることができる。
【００５３】
Bf/f ≦ 0.35  …（１０）
ここで、Bf：全系のバックフォーカス、f：全系の焦点距離とする。
【００５４】
また、第２レンズ群を構成する各レンズの屈折率が、２枚とも下記条件式（１１）を満足することが好ましい。条件式（１１）を満足することで、像面湾曲が小さい投写レンズとすることができる。
【００５５】
1.7 ≦ N2  …（１１）
ここで、N2：第２レンズ群を構成する各レンズの屈折率とする。
【００５６】
また、第１レンズ群Ｇ１は、拡大側から順に、正の屈折力を有する第１レンズＬ１と、負の屈折力を有する第２レンズＬ２と、負の屈折力を有する第３レンズＬ３と、正の屈折力を有する第４レンズＬ４と、正の屈折力を有する第５レンズＬ５と、正の屈折力を有する第６レンズＬ６とからなることが好ましい。特に第１レンズＬ１を正レンズにすることによって、投写レンズとして必要なディストーションの少ないレンズとすることできる。
【００５７】
この場合、第３レンズＬ３と第４レンズＬ４が接合されたものとしてもよい。このように接合面を配置することで、像面倒れや色収差の補正に効果を発揮することができる。またレンズの組立てに際し、組み立て感度を低減することができる。
【００５８】
次に、本発明の投写レンズの数値実施例について説明する。まず、実施例１の投写レンズについて説明する。実施例１の投写レンズのレンズ構成を示す断面図を図１に示す。なお、図１および後述の実施例２〜４に対応した図２〜４においては、左側が拡大側、右側が縮小側である。なお、以下の表１〜５に示す数値および図５〜８の収差図は、無限遠物体に合焦時の全系の焦点距離が１．０となるように規格化されたものである。
【００５９】
実施例１の投写レンズのレンズデータを表１に示す。以下では、表中の記号の意味について、実施例１のものを例にとり説明するが、実施例２〜４についても同様である。
【００６０】
表１のレンズデータにおいて、面番号の欄には最も物体側の構成要素の面を１番目として像側に向かうに従い順次増加する面番号を示し、曲率半径の欄には各面の曲率半径を示し、面間隔の欄には各面とその次の面との光軸Ｚ上の間隔を示す。また、ｎｄの欄には各光学要素のｄ線（波長５８７．６ｎｍ）に対する屈折率を示し、νｄの欄には各光学要素のｄ線（波長５８７．６ｎｍ）に対するアッベ数を示す。ここで、曲率半径の符号は、面形状が物体側に凸の場合を正、像側に凸の場合を負としている。
【００６１】
実施例１の投写レンズの各収差図を図５に示す。なお、図５中の左側から順に球面収差、非点収差、ディストーション、倍率色収差を示す。球面収差、非点収差、ディストーションを表す各収差図には、ｄ線（波長５８７．６ｎｍ）を基準波長とした収差を示す。球面収差図にはｄ線（波長５８７．６ｎｍ）、Ｃ線(波長６５６．３ｎｍ)、Ｆ線(波長４８６．１ｎｍ)についての収差をそれぞれ実線、二点鎖線、点線で示す。非点収差図にはサジタル方向、タンジェンシャル方向の収差をそれぞれ実線と点線で示す。倍率色収差図にはＣ線(波長６５６．３ｎｍ)、Ｆ線(波長４８６．１ｎｍ)についての収差をそれぞれ二点鎖線、点線で示す。なお、球面収差図のＦｎｏ．はＦ値、その他の収差図のωは半画角を意味する。
【００６２】
【表１】
2015184304.tif 000003
次に、実施例２の投写レンズについて説明する。実施例２の投写レンズのレンズ構成を示す断面図を図２に示す。また、実施例２の投写レンズのレンズデータを表２に、各収差図を図６に示す。
【００６３】
【表２】
2015184304.tif 000004
次に、実施例３の投写レンズについて説明する。実施例３の投写レンズのレンズ構成を示す断面図を図３に示す。また、実施例３の投写レンズのレンズデータを表３に、各収差図を図７に示す。
【００６４】
【表３】
2015184304.tif 000005
次に、実施例４の投写レンズについて説明する。実施例４の投写レンズのレンズ構成を示す断面図を図４に示す。また、実施例４の投写レンズのレンズデータを表４に、各収差図を図８に示す。
【００６５】
【表４】
2015184304.tif 000006
実施例１〜４の投写レンズの条件式（１）〜（１１）に対応する値を表５に示す。なお、全実施例ともｄ線を基準波長としており、下記の表５に示す値はこの基準波長におけるものである。
【００６６】
【表５】
2015184304.tif 000007
以上のデータから、実施例１〜４の投写レンズは全て、条件式（１）〜（１１）を満たしており、小型でありながら、迷光が少なく像面湾曲も小さい投写レンズであることが分かる。
【００６７】
次に、図９を参照しながら、本発明の一実施形態にかかる投写型表示装置について説明する。図９に、本実施形態にかかる投写型表示装置１００の概略的な構成を示す。この投写型表示装置１００は、光源部１０１と、インテグレータ部１０２と、照明光学系部１０３と、各種フィルタやカバーガラス等を想定した平行平面板状の光学部材１０４と、ライトバルブとしてのＤＭＤ１０５と、本発明の実施形態にかかる投写レンズ１０６とを備える。
【００６８】
光源１０１Ｒ，１０１Ｇ，１０１Ｂから各々出射された３原色光（Ｒ、Ｇ、Ｂ）が光源部１０１より時分割で順次出射され、光源部１０１より出射された光束はインテグレータ部１０２によって光束の光軸と垂直な断面における光量分布の均一化が図られ、照明光学系部１０３内のミラー１０３Ｍで反射されＤＭＤ１０５に照射される。このとき、照明光学系部１０３から出射した光は、投写レンズ１０６のフィールドレンズとして機能する第２レンズ群Ｇ２を透過してＤＭＤ１０５に入射する。ＤＭＤ１０５においては、入射光の色の切り替わりに応じて、その色光用への変調切替が行われる。ＤＭＤ１０５により光変調された光は、投写レンズ１０６に入射する。投写レンズ１０６はＤＭＤ１０５により光変調された光による光学像をスクリーン１０７上に投写する。
【００６９】
なお、ＤＭＤ１０５に代えて他のライトバルブを用いることも可能であり、例えば、ライトバルブとして透過型液晶表示素子や反射型液晶表示素子を用いることも可能である。
【００７０】
以上、実施形態および実施例を挙げて本発明を説明したが、本発明は上記実施形態および実施例に限定されず、種々の変形が可能である。例えば、各レンズの曲率半径、面間隔、屈折率、アッベ数の値は、上記各数値実施例で示した値に限定されず、他の値をとり得るものである。
【００７１】
また、本発明の投写型表示装置としても、上記構成のものに限られるものではなく、例えば、用いられるライトバルブや、光束分離または光束合成に用いられる光学部材は、上記構成に限定されず、種々の態様の変更が可能である。
【符号の説明】
【００７２】
１００    投写型表示装置
１０１    光源部
１０２    インテグレータ部
１０３    照明光学系部
１０４    光学部材
１０５    ＤＭＤ
１０６    投写レンズ
１０７    スクリーン
Ｇ１    第１レンズ群
Ｇ２    第２レンズ群
Ｌ１１〜Ｌ２２    レンズ
ＰＰ    光学部材
Ｓｉｍ    画像表示面
Ｚ    光軸
【図１】
2015184304.tif 000008
【図２】
2015184304.tif 000009
【図３】
2015184304.tif 000010
【図４】
2015184304.tif 000011
【図５】
2015184304.tif 000012
【図６】
2015184304.tif 000013
【図７】
2015184304.tif 000014
【図８】
2015184304.tif 000015
【図９】
2015184304.tif 000016